(57)【要約】【課題】軽い力で足掛け部材の高さ調整が可能な足掛け収納機構を提供することを課題とする。【解決手段】  足掛け部材７１の足載せ部８９の高さを調整する調整機構１１１と、足掛け部材７１と調整機構１１１との間に設けられ、足掛け部材７１を収納位置方向に付勢する付勢部材１０９と、足掛け部材７１と調整機構１１１とを係止／係止解除する係止機構１１３と、を有し、係止機構１１３は、使用位置では係止状態であり、収納位置では係止解除状態になるように設定されている。【選択図】図１
2019005442.tif 000002
【特許請求の範囲】
【請求項１】
座席よりも前方に取り付けられるベース部材と、
基端部が前記ベース部材に設けられた回転軸に軸支され、先端部に足載せ部を有し、使用位置と収納位置とを切り替え可能な足掛け部材と、
前記ベース部材に取り付けられる第１取付け部と、前記足掛け部材に取り付けられる第２取付け部とを有し、前記第１取付け部と前記第２取付け部との間で伸縮することで、前記足載せ部の高さを調整可能な調整機構と、
前記足掛け部材と前記調整機構の前記第２取付け部との間に設けられ、前記足掛け部材を前記収納位置方向に付勢する付勢部材と、
前記足掛け部材と前記調整機構の前記第２取付け部との間に設けられ、前記付勢部材の付勢力に抗して前記足掛け部材と前記調整機構とを係止する係止状態と、前記足掛け部材と前記調整機構とが係止されない係止解除状態とに切り替え可能な係止機構と、
を備え、
前記係止機構は、
前記使用位置では前記係止状態であり、前記収納位置では前記係止解除状態になるよう
に設定されている
ことを特徴とする足掛け収納機構。
【請求項２】
前記第２取付け部は前記回転軸に軸支され、
前記係止状態において、前記調整機構の伸縮に伴って前記足掛け部材と前記第２取付け部が前記回転軸を中心に一体に回転する
ことを特徴とする請求項１に記載の足掛け収納機構。
【請求項３】
前記付勢部材は、
前記回転軸に巻回され、
一端部が前記第２取付け部に、他端部が前記足掛け部材に係止されている
ことを特徴とする請求項１または２に記載の足掛け収納機構。
【請求項４】
前記係止機構は、
前記足掛け部材と前記第２取付け部の一方に設けられた係合凸部と、
前記足掛け部材と前記第２取付け部の他方に設けられたフック部及び係止機構用付勢部材とを有し、
該係止機構用付勢部材は、前記フック部を前記係合凸部に係合する方向に付勢している
ことを特徴とする請求項１から３のいずれか１項に記載の足掛け収納機構。
【請求項５】
前記足掛け部材は、
前記第２取付け部と当接可能な当接部を有し、
前記使用位置において、
前記調整機構により前記足載せ部の高さを低く調整する場合には、前記当接部が前記第２取付け部を押し、
前記調整機構により前記足載せ部の高さを高く調整する場合には、前記当接部が前記第２取付け部から押される
ことを特徴とする請求項１から４のいずれか１項に記載の足掛け収納機構。
【請求項６】
前記調整機構は、
前記ベース部材に基端部が軸支され、操作位置と格納位置とを切り替え可能な調整レバーと、
該調整レバーと前記ベース部材との間に設けられ、前記調整レバーを前記格納位置方向に付勢する調整レバー付勢部材と、
前記調整レバーと前記ベース部材との間に設けられた調整レバー係止機構とを備え、
前記調整レバー係止機構は、前記調整レバー付勢部材の付勢力に抗して前記調整レバーを前記操作位置に係止する係止状態と、前記調整レバーが係止されない係止解除状態とに切り替え可能であり、
前記足掛け収納機構は、前記係止機構と前記調整レバー係止機構の係止を同時に解除する機構を有する
ことを特徴とする請求項１から５のいずれか１項に記載の足掛け収納機構。
【請求項７】
前記調整レバー係止機構は、
前記調整レバーと前記ベース部材の一方に設けられた調整レバー係合凸部と
前記調整レバーと前記ベース部材の他方に設けられた調整レバーフック部及び調整レバー係止機構付勢部材とを有し、
該調整レバー係止機構付勢部材は前記フック部を前記調整レバー係合凸部に係合する方向に付勢している
ことを特徴とする請求項６に記載の足掛け収納機構。
【発明の詳細な説明】
【技術分野】
【０００１】
本発明は、車両用座席の着座者が足を載せて使用する足掛け（足掛け部材）の収納機構に関する。
【背景技術】
【０００２】
車両の壁、床、座席に、着座者の足を載せて使用する足掛け（足掛け部材）を使用位置から上方に移動させて収納する足掛け収納機構を備えたものがある。その一例として、図１３に示すものが知られている。
図において、座席１の背部には、支えアーム３の基端部が回転可能に設けられている。
支えアーム３の先端部には、座席１の後方座席の着座者の足が載せられる足載せ部５が設けられている。そして、支えアーム３と足載せ部５とで足掛け部材６が構成されている。
【０００３】
実線位置の支えアーム３、足載せ部５からなる足掛け部材６は、後側座席着座者が足載せ部５に足を載せて使用する使用位置を示し、二点鎖線位置の支えアーム３、足載せ部５からなる足掛け部材６は、使用位置より足載せ部５が上方に位置する収納位置を示している。
【０００４】
また、足掛け部材６は、一端がアーム3に他端が台座に止着された図示しない付勢手段（コイルばね）により、収納位置方向（上昇する方向）に付勢されている。
さらに、使用位置に位置する足掛け部材６の支えアーム３は、係止機構７により係止され、回転が規制されている。
次に、上記構成の作動を説明する。
（１）使用位置→収納位置への作動
足掛け部材６が実線で示す使用位置にある状態で、係止機構７の操作部７ａを踏むことにより、係止機構７の支えアーム３への係止が解除される。すると、足掛け部材６は、付勢部材の付勢力により二点鎖線で示す収納位置へ移動し、足掛け部材６が収納される。
【０００５】
（２）収納位置→使用位置
収納位置にある足掛け部材６を付勢手段の付勢力に抗して使用位置まで押し下げると、支えアーム３は係止機構７に係止され、足掛け部材６は回転が規制され、後側座席着座者は足載せ部５に足を載せて使用することができるようになる。
【先行技術文献】
【特許文献】
【０００６】
【特許文献１】特開平１１−３０９０３９号公報
【発明の概要】
【発明が解決しようとする課題】
【０００７】
上述した足掛け収納機構は、足掛け部材６は使用位置と収納位置との２つの位置に切り替え可能であるが、使用位置において、足掛け部材６を任意の高さへの調整ができない。よって、使用位置にある足掛け部材６の高さを調整するために、足掛け部材６及び足載せ部５の高さを調整する機構を設けることが考えられる。
【０００８】
しかし、足掛け部材６及び足載せ部５の高さを任意に調整するために、係止機構７による支えアーム３への係止を解除すると、足掛け部材６は付勢手段により、収納位置方向（上方）に付勢されているので、足掛け部材６及び足載せ部５の高さを下げる場合には高さ調整に必要な力が増大する問題点がある。
【０００９】
本発明は、上記問題点に鑑みてなされたもので、その課題は、軽い力で足掛け部材の高さ調整が可能な足掛け収納機構を提供することにある。
【課題を解決するための手段】
【００１０】
上述した課題のうち少なくとも一つを実現するために、本発明の一側面を反映した足掛け収納機構は、座席よりも前方に取り付けられるベース部材と、基端部が前記ベース部材に設けられた回転軸に軸支され、先端部に足載せ部を有し、使用位置と収納位置とを切り替え可能な足掛け部材と、前記ベース部材に取り付けられる第１取付け部と、前記足掛け部材に取り付けられる第２取付け部とを有し、前記第１取付け部と前記第２取付け部との間で伸縮することで、前記足載せ部の高さを調整可能な調整機構と、前記足掛け部材と前記調整機構の前記第２取付け部との間に設けられ、前記足掛け部材を前記収納位置方向に付勢する付勢部材と、前記足掛け部材と前記調整機構の前記第２取付け部との間に設けられ、前記付勢部材の付勢力に抗して前記足掛け部材と前記調整機構とを係止する係止状態と、前記足掛け部材と前記調整機構とが係止されない係止解除状態とに切り替え可能な係止機構と、を備え、前記係止機構は、前記使用位置では前記係止状態であり、前記収納位置では前記係止解除状態になるように設定されていることを特徴とする。
【００１１】
本発明の他の特徴は、以下に述べる発明を実施するための形態並びに添付の図面から一層明らかになるであろう。
【発明の効果】
【００１２】
本発明の足掛け収納機構によれば、前記足掛け部材と前記調整機構の前記第２取付け部との間に設けられ、前記足掛け部材を前記収納位置方向に付勢する付勢部材と、前記足掛け部材と前記調整機構の前記第２取付け部との間に設けられ、前記付勢部材の付勢力に抗して前記足掛け部材と前記調整機構とを係止する係止状態と、前記足掛け部材と前記調整機構とが係止されない係止解除状態とに切り替え可能な係止機構と、を備え、前記係止機構は、前記使用位置では前記係止状態であり、前記収納位置では前記係止解除状態になるように設定されていることで、係止機構の係止時には、足掛け部材と調整機構の第２取付け部とは係止されているので、付勢部材の付勢力は抑制される。即ち、足掛け部材の高さ調整の際に、付勢部材の付勢力が抑制されるので、軽い力で足掛け部材の高さ調整ができる。
【図面の簡単な説明】
【００１３】
【図１】本発明の一実施形態の足掛け収納機構の主要部分の分解斜視図である。
【図２】図１のベース部材の斜視図である。
【図３】図１の回転支持部の斜視図である。
【図４】図１の足掛け収納機構の正面図である。
【図５】図４の右側面図である。
【図６】足掛け部材が使用位置にある状態における足載せ部の高さ調整を示す図で、図４のＡ−Ａ断面図である。
【図７】足掛け部材が使用位置にある状態における足載せ部の高さ調整を示す図で、図４のＢ−Ｂ断面図である。
【図８】足掛け部材が使用位置にある状態における足載せ部の高さ調整を示す図で、図４のＣ−Ｃ断面図である。
【図９】足掛け部材の使用位置（実線）と収納位置（二点鎖線）を示す図で、図４のＡ−Ａ断面図である。
【図１０】足掛け部材の使用位置（実線）と収納位置（二点鎖線）を示す図で、図４のＣ−Ｃ断面図である。
【図１１】足掛け部材の使用位置（実線）と収納位置（二点鎖線）を示す図で、図４のＤ−Ｄ断面図である。
【図１２】足掛け部材の使用位置（実線）と収納位置（二点鎖線）を示す図で、図４のＥ−Ｅ断面図である。
【図１３】従来の足掛け収納機構を説明する図である。
【発明を実施するための形態】
【００１４】
最初に、図１−図８、図１２を用いて、本発明の一実施形態の足掛け収納機構の全体構成を説明する。尚、本実施形態の足掛け収納機構は、鉄道車両の他の車両と向き合う壁の車内側（以下、妻壁という）に２つ並べて設けられ、妻壁に一番近い座席で、妻壁に向かって着座する場合は、足掛け部材が使用され、妻壁に背を向けて着座する場合は、足掛け部材は収納位置に跳ね上げられ、妻壁と座席の背もたれとの間の空間に大きな荷物を収納可能とするものである。
【００１５】
尚、説明は２つ並べて設けられた足掛け収納機構のうちの一方の機構で行い、他方の機構は一方の機構と同一であるので、他方の機構には、一方の機構の番号に「’」をつけた番号を付し、重複する説明を省略する。
＜ベース部材＞
図１−図２、図４−図８を用いて説明する。図１は本発明の一実施形態の足掛け収納機構の主要部分の分解斜視図、図２は図１のベース部材の斜視図、図４は図１の足掛け収納機構の正面図、図５は図４の右側面図、図６は足掛け部材が使用位置にある状態における足載せ部の高さ調整を示す図で、図４のＡ−Ａ断面図、図７は足掛け部材が使用位置にある状態における足載せ部の高さ調整を示す図で、図４のＢ−Ｂ断面図、図８は足掛け部材が使用位置にある状態における足載せ部の高さ調整を示す図で、図４のＣ−Ｃ断面図である。
【００１６】
座席の前方、即ち、車両の壁や床面に設けられるベース部材５１は、これらの図に示すように、床面F（図５参照）と対向する底部５３と、底部５３の妻壁T側の端部から妻壁Tに沿って上方に延出するように設けられた立壁部５５と、ベース部材５１を３つの部屋に仕切る第１仕切壁５７、第２仕切壁５９と、第３仕切壁６１と、他方の機構の第３仕切壁６１’とを有している。第１仕切壁５７と第２仕切壁５９の上部には、対向する貫通した穴５７ａ、穴５９ａが開設されている。そして、穴５７ａ、穴５９ａに嵌合するシャフト（回転軸）６５が設けられている。
＜足掛け部材＞
図１、図３−図４、図７−図８を用いて足掛け部材の説明を行う。図３は図１の回転支持部の斜視図である。
【００１７】
足掛け部材７１は、図１、図３−図４、図７−図８に示すように、空間を介して対向するように配置された第１アーム部７３、第２アーム部７５を有している。第１アーム部７３、第２アーム部７５の基端部には、対向する貫通した穴７３ａ、穴７５ａが設けられている。
【００１８】
穴７３ａ、穴７５ａの間には、当接部７７が配置される。この当接部７７は、天部７７ａと、第１アーム部７３と対向する第１立壁部７７ｂと、第２アーム部７５と対向する第２立壁部７７ｃとからなっている。さらに、第１立壁部７７ｂには第１アーム部７３の穴７３ａと対向する貫通した穴７７ｄが、第２立壁部７７ｃには第２アーム部７５の穴７５ａと対向する貫通した穴７７ｅが形成されている。そして、第１アーム部７３と、当接部７７の第１立壁部７７ｂとの間には、一方の端面が第１アーム部７３の穴７３ａの周縁に固着され、他方の端面が第１立壁部７７ｂの穴７７ｄの周縁に固着されるパイプ状の第１回転支持パイプ７９が配置されている。第２アーム部７５と、当接部７７の第２立壁部７７ｃとの間には、一方の端面が第２アーム部７５の穴７５ａの周縁に固着され、他方の端面が第２立壁部７７ｃの穴７７ｅの周縁に固着されるパイプ状の第２回転支持パイプ８１が配置されている。
【００１９】
そして、前述したシャフト６５が、足掛け部材７１の第１アーム部７３の穴７３ａ、第１回転支持パイプ７９の内筒部、当接部７７の第１立壁部７７ｂの穴７７ｄ、第２立壁部７７ｃの穴７７ｅ、第２アーム部７５の穴７５ａを挿通することにより、足掛け部材７１の第１アーム部７３、第２アーム部７５、当接部７７、第１回転支持パイプ７９、第２回転支持パイプ８１からなる回転支持部８３は、ベース部材５１に軸支されている。
【００２０】
尚、第１アーム部７３、第２アーム部７５の先端部側には、両アーム部を橋渡しするように設けられ、後述する足載せ部が当接可能なストッパ部８５が配置されている。
第１アーム部７３、第２アーム部７５の先端部には、対向する貫通した穴７３ｂ、穴７５ｂが設けられている。そして、穴７３ｂ、穴７５ａに嵌合するシャフト８７が設けられている。さらに、第１アーム部７３の先端部と、第２アーム部７５の先端部との間には、座席の着座者が足を載せて使用する足載せ部８９が配置される。この足載せ部８９には、シャフト８７が挿通する貫通した穴８９ａが形成され、足載せ部８９はシャフト８７を回転軸として回転可能となっている。
【００２１】
図８に示すように、実線で示す第２アーム部７５、足載せ部８９は、足載せ部８９の第１ストッパ部８９ｂがストッパ部８５に当接することにより、足載せ部８９の下方への回転を禁止され、第１面８９ｃが着座者の足が載せられる面となる。また、実線の位置にある足載せ部８９を時計方向に回転させると、第２ストッパ部として機能する第１面８９ｃがストッパ部８５に当接することにより、足載せ部８９の下方への回転を禁止され、第２面８９ｄが着座者の足が載せられる面となる。即ち、足載せ部８９をシャフト８７を回転軸として回転させることにより、２つの態様の足載せ部８９を得ることができる。
【００２２】
尚、足載せ部９８は、上記形態に限らず、足掛け部材７１の先端部と同部材でも良いし、固定されていても良い。足を載せる役割を果たせば良い。
＜調整機構＞
図１、図４、図７を用いて説明する。
【００２３】
当接部７７の第１立壁部７７ｂと、第２立壁部７７ｃとの間には、リンク９１が配置される。このリンク９１は、足掛け部材７１側の当接部７７の天部７７ａと当接可能な天部９１ａと、当接部７７の第１立壁部７７ｂと対向する第１立壁部７７ｂと、第２立壁部７７ｃと対向する第２立壁部９１ｃとからなっている。さらに、第１立壁部７７ｂには、第１立壁部７７ｂの穴７７ｄと対向する貫通した穴９１ｄが、第２立壁部９１ｃには第２立壁部７７ｃの穴７７ｅと対向する貫通した穴９１ｅが形成されている。そして、前述したシャフト６５が穴９１ｄ、穴９１ｅを挿通し、リンク９１は回転支持部８３に取り付けられると共に、シャフト６５を軸として回転可能となっている。即ち、足掛け部材７１の回転軸と、リンク９１の回転軸とは同軸となっている。
【００２４】
リンク９１の第１立壁部９１ｂ、第２立壁部９１ｃの先端部には、対向する貫通した穴９１ｆ、穴９１ｇが形成されている。これらの穴９１ｆ、穴９１ｇに嵌合するシャフト９３が設けられている。
このシャフト９３にガススプリング９５のロッド９７側が回転可能に接続される。ここで、ガススプリング９５の説明を行う。ガススプリング９５は、チューブ９９と、ロッド９７に接続され、チューブ９９の内部を２つの部屋に仕切るピストンと、２つの部屋に充填されたオイルと、２つの部屋の内の一方の部屋に充填され、ロッド９７をチューブ９９から伸びる方向に付勢する圧縮ガスとを有している。ピストンには、２つの部屋を繋ぐオリフィス（穴）が設けられている。そして、オリフィスを閉じることにより、２つの部屋間でのオイルの移動を禁止し、ロッド９７の動きをロックする。オリフィスを開くことにより、ロック解除され、２つの部屋間でのオイルの移動を許可し、圧縮ガスのガス反力により、ロッド９７はチューブ９９から飛び出る方向に移動する。また、圧縮ガスのガス反力に抗して、ロッド９７を押すと、ロッド９７はチューブ９９内に入る方向に移動する。即ち、ロック解除すると、ガススプリング９５のロッド９７は、チューブ９９に対して進退可能となる。
【００２５】
本実施形態のガススプリング９５のロッド９７には、ロッド９７の頂部に設けられたピン９７ａを押し、ロック解除を行うロック解除機構１０３が設けられている。
ガススプリング９５には、ロック解除機構１０３を駆動するロック解除ケーブル１０１の一端側のアウタケーシング１０１ａを保持するケーブルブラケット１０５が取り付けられている。ロック解除ケーブル１０１のインナケーブル１０１ｂはロック解除機構１０３に接続され、インナケーブル１０１ｂが引かれることで、ガススプリング９５はロック解除されるようになっている。
【００２６】
また、ガススプリング９５のチューブ９９側には、貫通した穴９９ａが形成され、この穴９９ａにシャフト１０７が挿通している。一方、ベース部材５１の立壁部５５には、シャフト１０７を保持するシャフトブラケット部５５ａが形成されている。よって、ガススプリング９５のチューブ９９側は、ベース部材５１に回転可能に取り付けられている。
【００２７】
そして、ガススプリング９５のロッド９７がチューブ９９に対して進退することにより、即ち、ガススプリング９５の長さが伸縮することにより、リンク９１はシャフト６５を軸として上下方向に回転する。
そして、ガススプリング９５と、リンク９１とで、調整機構１１１が構成されている。
さらに、調整機構１１１は、前記のようにガススプリング９５のチューブ９９がベース部材５１に取り付けられる第１取り付け部と、ガススプリング９５のロッド９７とリンク９１とが足掛け部材７１に取り付けられる第２取付け部とを有している。
【００２８】
上記ガススプリング９５の形態に限らず、足掛け部材７１を任意の高さに調整できる機構であればよい。
＜付勢部材＞
当接部７７の第１立壁部７７ｂと、第２立壁部７７ｃとの間に、付勢部材（ねじりコイルばね）１０９が配置される。この付勢部材１０９の中間部１０９ａはシャフト６５に巻回され、一方の端部１０９ｂは足掛け部材７１の当接部７７の天部７７ａに係止され、他方の端部１０９ｃは調整機構１１１のリンク９１の第２立壁部９１ｃ（第２取付け部）に係止されている。
【００２９】
付勢部材としては上記付勢部材（ねじりコイルばね）１０９の形態に限らず、付勢効果が得られる弾性体であればなんでも良い。
＜係止機構＞
図１、図４、図１２を用いて、足掛け部材７１と調整機構１１１との間に設けられ、足掛け部材７１と調整機構１１１とを係止／係止解除する係止機構１１３を説明する。
【００３０】
図１２は足掛け部材の使用位置（実線）と収納位置（二点鎖線）を示す図で、図４のＥ−Ｅ断面図である。
足掛け部材７１側の当接部７７の第１立壁部７７ｂには、第２立壁部７７ｃ方向に突出するピン（係合凸部）１１５が形成されている。一方、調整機構１１１の第２取付け部側のリンク９１の第１立壁部９１ｂには、ピン１１７が取り付けられている。このピン１１７にフック１１９が回転可能に取り付けられている。フック１１９は、当接部７７のピン１１５に係脱可能なフック部１１９ａを有している。さらに、フック１１９には、リンク９１の第２立壁部９１ｃ方向に突出するピン１２１が設けられている。そして、中間部がピン１１７に巻回され、一方の端部がピン１１７の端面に係止され、他方の端部がピン１２１に係止される係止機構用付勢部材（ねじりコイルばね）１２３により、フック１１９はフック部１１９ａがピン１１５に係合する方向に付勢され、フック１１９のフック部１１９ａはピン１１５ｂに係合している係止状態にある。
【００３１】
また、リンク９１の第１立壁部９１ｂの下部には、ケーブルブラケット部９１ｈが形成されている。このケーブルブラケット部９１ｈに、第１収納ケーブル１２５の一方の端部側のアウタケーシング１２５ａが保持され、第１収納ケーブル１２５の一方の端部側のインナケーブル１２５ｂは、フック１１９のピン１２１に接続されている。
【００３２】
よって、係止機構用付勢部材１２３の付勢力に抗して第１収納ケーブル１２５のインナケーブル１２５ｂを引くことで、フック１１９はフック部１１９ａがピン１１５から離脱する方向に回転することで係止解除状態となる。
そして、係止機構１１３により、足掛け部材７１と調整機構１１１とが係止された状態（係止状態）で、ガススプリング９５のの長さが伸縮すると、足掛け部材７１はシャフト６５を軸として回転し、足載せ部８９の高さが調整される。
【００３３】
尚、本実施形態では、付勢部材１０９の一方の端部は、足掛け部材７１の当接部７７の天部７７ａに係止され、他方の端部は調整機構１１１のリンク９１の第２立壁部９１ｃに係止されている。係止機構１１３の係止時（係止状態）には、足掛け部材７１と調整機構１１１とは係止されているので、付勢部材１０９の付勢力は抑制される。係止機構１１３の係止解除時（係止解除状態）には、足掛け部材７１と調整機構１１１とは別体となり、付勢部材１０９の付勢力により、足掛け部材７１は収納方向に回転する。
＜調整レバー＞
図１、図４，図６を用いて説明する。
【００３４】
本実施形態の調整レバー１３１は、調整機構であるガススプリング９５のロック解除操作を行うもので、その操作部１３１ａが操作可能な位置にある操作位置と、操作位置より操作部１３１ａが上方に位置する格納位置とを切り替え可能となっている。
本実施形態では、調整レバー１３１の操作部１３１ａは、ベース部材５１を覆うカバー１９１に形成された穴１９１ｂを挿通して、外部に突出している。
【００３５】
ベース部材５１の第２仕切壁５９と第３仕切壁６１との空間には、調整レバー１３１が配置される。第２仕切壁５９と第３仕切壁６１とを橋渡しするように、ピン１３３が設けられている。このピン１３３に調整レバー１３１が回転可能に設けられている。そして、中間部がピン１３３に巻回され、一方の端部が第２仕切壁５９に設けられたピン１３５に係止され、他端部が調整レバー１３１に設けられたピン（調整レバー係合凸部）１３７に係止された調整レバー付勢部材（ねじりコイルばね）１３９の付勢力により調整レバー１３１は、操作部１３１ａが上方に向かって回転する方向（格納位置）に付勢されている。
【００３６】
尚、調整レバー１３１が、操作位置にある場合は、ピン１３７は後述する調整レバー係止機構により係止されている。
第３仕切壁６１には、貫通した第１穴６１ａと、第１穴６１ａを中心とした円弧上の貫通した長穴６１ｂが形成されている。そして、ケーブルブラケット１４１が第１穴６１ａに嵌合する第１ピン１４３を用いて、第１ピン１４３を中心に回転可能に取り付けられている。ケーブルブラケット１４１には、長穴６１ｂに遊嵌する第２ピン１４５が設けられ、ケーブルブラケット１４１は第２ピン１４５が長穴６１ｂの円周方向の端部に当接する範囲で回転可能となっている。
【００３７】
このケーブルブラケット１４１は、ロック解除機構１０３を駆動するロック解除ケーブル１０１の他端側のアウタケーシング１０１ａを保持する。ロック解除ケーブル１０１のインナケーブル１０１ｂは、調整レバー１３１に接続されている。よって、操作位置ある調整レバー１３１の操作部１３１ａを下方に押し下げることで、インナケーブル１０１ｂが引かれ、ガススプリング９５はロック解除される。
＜調整レバー係止機構＞
図１，図４，図９、図１１を用いて、調整レバーとベース部材との間に設けられた調整レバー係止機構１５１を説明する。
【００３８】
図９は足掛け部材の使用位置（実線）と収納位置（二点鎖線）を示す図で、図４のＡ−Ａ断面図、図１１は足掛け部材の使用位置（実線）と収納位置（二点鎖線）を示す図で、図４のＤ−Ｄ断面図である。
第３仕切壁６１には、調整レバー１３１に設けられたピン１３７が挿通する円弧状の貫通した長穴６１ｃが形成され、ピン１３７は、第３仕切壁６１と他方の機構の第３仕切壁６１’との間の空間に突出している。
【００３９】
第３仕切壁６１と他方の機構の第３仕切壁６１’とを橋渡しするようにピン１５３が設けられる。このピン１５３には、フックブラケット１５５が回転可能に設けられる。このフックブラケット１５５には、一方の機構の調整レバーフック１５７と他方の機構の調整レバーフック１５７’が取り付けられる。調整レバーフック１５７は、調整レバー１３１のピン１３７に係脱可能なフック部１５７ａを有している
フックブラケット１５５には、調整レバーフック１５７に形成された貫通穴を挿通し、第３仕切壁６１に設けられ、ピン１５３を中心とする円弧上の貫通した長穴６１ｄに遊嵌するピン１５９が設けられている。よって、調整レバーフック１５７はピン１５９が長穴６１ｄの円周方向の端部に当接する範囲で回転可能になっている。
【００４０】
また、第２仕切壁５９と第３仕切壁６１との間の空間で、中間部がピン１５３に巻回され、一方の端部がベース部材５１の底部５３に設けられたスプリング係止ブラケット５３ａに係止され、他端部が調整レバーフック１５７に係止された調整レバー付勢部材（ねじりコイルばね）１６１の付勢力により調整レバーフック１５７は、フック部１５７ａがピン（調整レバー係合凸部）１３７に係合する方向に付勢されている。
【００４１】
さらに、第３仕切壁６１と他方の機構の第３仕切壁６１’の間の空間の上部には、ケーブルブラケット１６３が設けられている。このケーブルブラケット１６３に、第２収納ケーブル１７１の一方の端部側のアウタケーシング１７１ａが保持され、第２収納ケーブル１７１の一方の端部側のインナケーブル１７１ｂは、フックブラケット１５５のピン１５９に接続されている。よって、調整レバー付勢部材１６１の付勢力に抗して第２収納ケーブル１７１のインナケーブル１７１ｂを引くことで、調整レバーフック１５７はフック部１５７ａがピン１３７から離脱する方向に回転する。
＜収納レバー＞
図４、図５を用いて、収納レバー１８７の説明を行う。
【００４２】
ベース部材５１の底部５３には、ケーブルブラケット１８３が設けられる。このケーブルブラケット１８３には、ピン１８５を用いて収納レバー１８７が回転可能に取り付けられている。
収納レバー１８７の操作部１８７ａは、第１仕切壁５７に形成された貫通した穴（図示せず）及びベース部材５１を覆うカバー１９１に形成された穴１９１ａを挿通して、外部に突出している。収納レバー１８７は、穴１９１ａの上下方向の範囲で回転可能に設定されている。
【００４３】
収納レバー１８７は、一端部がケーブルブラケット１８３に係止され、他端部が収納レバー１８７に係止されたスプリング（コイルばね）１８９により、操作部１８７ａが上方向に付勢されている。
そして、ケーブルブラケット１８３には、第１収納ケーブル１２５、第２収納ケーブル１７１、他方の機構の第１収納ケーブル１２５’それぞれの他方の端部側のアウタケーシング１２５ａ、アウタケーシング１７１ａ、アウタケーシング１２５ａ’が保持され、第１収納ケーブル１２５、第２収納ケーブル１７１、他方の機構の第１収納ケーブル１２５’それぞれの他方の端部側のインナケーブル１２５ｂ、インナケーブル１７１ｂ、インナケーブル１２５ｂ’は、収納レバー１８７に接続されている。
【００４４】
よって、スプリング１８９の付勢力に抗して、収納レバー１８７の操作部１８７ａを下に押し下げると、第１収納ケーブル１２５、第２収納ケーブル１７１のインナケーブル１２５ｂ、インナケーブル１７１ｂが引かれる。
インナケーブル１２５ｂが引かれると、係止機構１１３のフック１１９のフック１１９はフック部１１９ａがピン１１５から離脱する方向に回転し、足掛け部材７１と調整機構１１１とが係止解除される。
【００４５】
インナケーブル１７１ｂが引かれると、調整レバー係止機構１５１の調整レバーフック１５７のフック部１５７ａがピン１３７から離脱する方向に回転し、操作位置にある調整レバー１３１は調整レバー付勢部材１３９の付勢力により格納位置方向へ回転移動する。
＜作動＞
（１） 足掛け部材７１の高さ調整
係止機構１１３、調整レバー係止機構１５１は係止状態にある場合、即ち、足掛け部材７１と調整機構１１１とが係合され、調整レバー１３１は使用位置にある。
【００４６】
ここで、図６に示すように、使用位置にある調整レバー１３１の操作部１３１ａを下方に押し下げ（実線位置から二点鎖線位置への移動）、ロック解除ケーブル１０１を介して、ガススプリング９５のロック解除を行う。このロック解除により、ガススプリング９５のロッド９７は、チューブ９９に対して進退可能となる。
【００４７】
ロック解除された状態において、足掛け部材７１の足載せ部８９の高さを高く調整する場合は、ガススプリング９５のチューブ９９内の圧縮ガスのガス反力により、ロッド９７がチューブ９９より飛び出る方向に移動し（図７の二点鎖線位置から実線位置への移動）、足掛け部材７１側の当接部７７の天部７７ａが、リンク９１の天部９１ａから押され、両者は一体に回転し、足掛け部材７１の足載せ部８９は上昇する（図８の二点鎖線位置から実線位置への移動）。所望の高さになり、調整レバー１３１への操作力を解除すると、ガススプリング９５がロック状態となり、足掛け部材７１の足載せ部８９の上昇が停止すると共に、足載せ部８９の昇降が禁止される。この時、調整レバー１３１の操作部１３１ａは元位置に復帰する（図６の二点鎖線位置から実線位置への移動）。
【００４８】
ロック解除された状態において、足掛け部材７１の足載せ部８９の高さを低く調整する場合は、足載せ部８９を所望の位置まで押し下げる（図８の実線線位置から二点鎖線位置までの移動）。この時、足掛け部材７１側の当接部７７の天部７７ａがリンク９１の天部９１ａを押し、両者は一体に回転し、ロッド９７はガススプリング９５のチューブ９９内へ入る方向に移動し、足掛け部材７１の足載せ部８９は下降する（図８の実線位置から二点鎖線値への移動）。所望の高さになり、調整レバー１３１への操作力を解除すると、ガススプリング９５がロック状態となり、足掛け部材７１の足載せ部８９の昇降が禁止される。この時、調整レバー１３１の操作部１３１ａは元位置に復帰する（図６の二点鎖線位置から実線位置への移動）。
（２）足掛け部材の収納、調整レバーの格納
足掛け部材７１を収納、調整レバー１３１を格納する際には、スプリング１８９の付勢力に抗して収納レバー１８７の操作部１８７ａを下に押し下げると、第１収納ケーブル１２５、第２収納ケーブル１７１のインナケーブル１２５ｂ、インナケーブル１７１ｂが引かれる。
【００４９】
第１収納ケーブル１２５のインナケーブル１２５ｂが引かれると、係止機構１１３のフック１１９のフック部１１９ａがピン１１５から離脱する方向に回転し（図１２の実線位置から二点鎖線位置への移動）、足掛け部材７１と調整機構１１１とが係止解除される。
ここで、付勢部材１０９の一方の端部は、足掛け部材７１の当接部７７に係止され、他方の端部は調整機構１１１のリンク９１の第２立壁部９１ｃに係止されている。係止機構１１３の係止時には、足掛け部材７１と調整機構１１１とは係止されているので、付勢部材１０９の付勢力は抑制される。
【００５０】
しかし、係止機構１１３の係止解除時には、足掛け部材７１と調整機構１１１とは別体となり、付勢部材１０９の付勢力により、足掛け部材７１は、収納位置へ移動する（図１０の実線位置から二点鎖線位置への移動）。
尚、この足掛け部材７１の上昇は、図１２に示すように、二点鎖線で示す当接部７７が、ベース部材５１に設けられたストッパ５６に当接するまで行われる。
【００５１】
第２収納ケーブル１７１のインナケーブル１７１ｂが引かれると、調整レバー係止機構１５１の調整レバーフック１５７はフック部１５７がピン１３７から離脱する方向に回転し（図１１の実線位置から二点鎖線位置への移動）、調整レバー１３１は調整レバー付勢部材１３９の付勢力により格納位置方向へ回転移動し、格納位置へ移動する。
【００５２】
尚、本実施形態では、第２収納ケーブル１７１は、他方の機構の調整レバー係止機構１５１’も作動させる。
そして、収納レバー１８７の操作部１８７ａへの操作力を解除すると、スプリング１８９の付勢力により、収納レバー１８７は元位置に復帰する。
【００５３】
次に、収納位置にある足掛け部材７１を使用位置まで下ろすと、係止機構１１３のフック１１９のフック部１１９ａがピン１１５に係合し（図１２の二点鎖線位置から実線への移動）、足掛け部材７１と調整機構１１とが再び係止される。
また、格納位置にある調整レバー１３１の操作部１３１ａを操作位置まで下げると、調整レバー係止機構１５１の調整レバーフック１５７のフック部１５７がピン１３７に係合し（図１１の二点鎖線位置から実線への移動）、調整レバー１３１は使用位置に復帰し、再び係止される。
【００５４】
即ち、係止機構１１３は、使用位置では係止状態であり、収納位置では係止解除状態になるように設定されている。
上記構成によれば、以下のような効果が得られる。
（１）使用位置にある場合、付勢部材１０９の一方の端部は、足掛け部材７１の当接部７７の天部７７ａに係止され、他方の端部は調整機構１１１のリンク９１の第２立壁部９１ｃに係止されている。係止機構１１３の係止状態時には、足掛け部材７１と調整機構１１１とは係止されているので、付勢部材１０９の付勢力は抑制される。即ち、足掛け部材７１の高さ調整の際に、付勢部材１０９の付勢力が抑制されているので、軽い力で足掛け部材７１の高さ調整ができる。
（２）ガススプリング９５を用いることで、足掛け部材７１の足載せ部８９の高さ調整は、無段階であり、細かな調整が可能である。
（３）１つの収納レバー１８７で、足載せ部８９の収納、調整レバー１３１の格納が可能である。さらに、本実施形態では、同時に他方の機構の足載せ部８９’の収納、調整レバー１３１’の格納が可能である。
【００５５】
本実施形態では、妻壁に設けられる足掛け収納機構で説明を行ったが、座席の背部に設ける足掛け収納機構にも適用できる。
また、係止機構１１３の係合凸部であるピン１１５は、足掛け部材７１側に設け、フック１１９、係止機構用付勢部材１２３は、調整機構１１１の第２取付け部側に設けたが、逆に、ピン１１５を調整機構１１１の第２取付け部側に設け、フック１１９、係止機構用付勢部材１２３を足掛け部材７１側に設けてもよい。
【００５６】
さらに、調整レバー係止機構１５１のピン（調整レバー係合凸部）１３７を調整レバー１３１に設け、調整レバーフック１５７、調整レバー付勢部材１６１をベース部材５１側に設けたが、逆に、調整レバー係止機構１５１のピン（調整レバー係合凸部）１３７をベース部材５１側に設け、調整レバーフック１５７、調整レバー付勢部材１６１を調整レバー１３１側に設けてもよい。
【００５７】
また、係止機構として、上記実施の形態例では、フック、係合突部（ピンや凸部）、付勢部材でなる係止機構で説明を行ったが、他の形態の係止機構でもよい。
また、上記実施の形態例での足掛け部材７１の収納位置と、調整レバー１３１の格納位置は、足掛け部材７１の使用位置の上、調整レバー１３１の操作位置の上方としたが、足掛け部材７１の収納位置と、調整レバー１３１の格納位置を、足掛け部材７１の使用位置、調整レバー１３１の操作位置よりもベース部材５１側としてもよい。つまり、足掛け部材７１の収納位置と、調整レバー１３１の格納位置は、邪魔にならない位置であればよい。
【符号の説明】
【００５８】
７１  足掛け部材
８９  足載せ部
１１１  調整機構
１１３  係止機構
【図１】
2019005442.tif 000003
【図２】
2019005442.tif 000004
【図３】
2019005442.tif 000005
【図４】
2019005442.tif 000006
【図５】
2019005442.tif 000007
【図６】
2019005442.tif 000008
【図７】
2019005442.tif 000009
【図８】
2019005442.tif 000010
【図９】
2019005442.tif 000011
【図１０】
2019005442.tif 000012
【図１１】
2019005442.tif 000013
【図１２】
2019005442.tif 000014
【図１３】
2019005442.tif 000015